(57)【要約】  【課題】第１の当接押込み機構と左右対称の第２の当接押込み機構を取り付け可能として、開閉部の開閉方向が左右逆になっても、噴霧機構を作動させる。    【解決手段】噴霧機構の左右付け替えをするには、台座２０４を扉２０３、３６から取り外し、軸ピン２２３（当接押込み機構）を台座２０４の左側の軸支面２２１Ｌ（または２２１Ｒ）のねじ穴２２２Ｌ（または２２２Ｒ）から取り外し、ロッド２２４（当接押込み機構）も台座２０４から取り外し、ロッド２２４を裏返して、ロッド２２４の軸穴２２５に軸ピン２２３を挿通させて、軸ピン２２３を右側の軸支面２２１Ｌ（または２２１Ｒ）のねじ穴２２２に螺合させて固定する。そして、この台座２０４を扉２０３、３６の右側に取り付け、台座２０４に噴霧剤入り容器２０３を装着する。  【選択図】図３
2007056548.tif 000002
【特許請求の範囲】
【請求項１】
枠体に対して開閉体が開閉されるように取り付けられた、二つの空間を仕切る開閉部と、
この開閉部の開閉体に取り付けられ、内部に噴霧剤が入れられて、押す力により当該噴霧剤を噴射口から噴射させる押栓を備えた噴霧剤入り容器と、
上記開閉部の開閉体に取り付けられ、上記開閉部の開閉に応じて開閉体と枠体との距離または角度が変化することによって、上記枠体に一部が当接可能であり、他の一部が上記噴霧剤入り容器の押栓を押し込むことが可能であり、当該当接を当該押栓に伝達して、この押栓を押し込む第１の当接押込み機構と、
この第１の当接押込み機構とほぼ左右対称の構造の第２の当接押込み機構を、上記押栓に対して、当該第１の当接押込み機構とほぼ左右対称の位置に取り付け可能としたことを特徴とする開閉部の噴霧剤の噴霧機構。
【請求項２】
枠体に対して開閉体が開閉されるように取り付けられた、二つの空間を仕切る開閉部と、
この開閉部の枠体に取り付けられ、内部に噴霧剤が入れられて、押す力により当該噴霧剤を噴射口から噴射させる押栓を備えた噴霧剤入り容器と、
上記開閉部の枠体に取り付けられ、上記開閉部の開閉に応じて開閉体と枠体との距離または角度が変化することによって、上記開閉体に一部が当接可能であり、他の一部が上記噴霧剤入り容器の押栓を押し込むことが可能であり、当該当接を当該押栓に伝達して、この押栓を押し込む第１の当接押込み機構と、
この第１の当接押込み機構とほぼ左右対称の構造の第２の当接押込み機構を、上記押栓に対して、当該第１の当接押込み機構とほぼ左右対称の位置に取り付け可能としたことを特徴とする開閉部の噴霧剤の噴霧機構。
【請求項３】
上記第２の当接押込み機構は、上記第１の当接押込み機構が裏返されたものであることを特徴とする請求項１または２記載の開閉部の噴霧剤の噴霧機構。
【請求項４】
第１の当接押込み機構は、軸支部と、上記開閉体が開閉されるとき上記枠部材または上記開閉体へ当接する当接端と、上記噴霧剤入り容器の押栓を押し込む押し込み端とを備え、軸支部に対して当接端と押し込み端とはほぼ直交する方向に位置し、
この第１の当接押込み機構は、上記軸支位置からはずされ、上記押栓に対して、当該第１の軸支位置と左右対称の位置にある第２の軸支位置に、裏返されて取り付けられることを特徴とする請求項１、２または３記載の開閉部の噴霧剤の噴霧機構。
【請求項５】
枠体に対して開閉体が開閉されるように取り付けられた、二つの空間を仕切る開閉部と、
この開閉部の枠体に取り付けられ、内部に噴霧剤が入れられて、押す力により当該噴霧剤を噴射口から噴射させる押栓を備えた噴霧剤入り容器と、
上記開閉部の枠体に取り付けられ、上記開閉部の開閉に応じて開閉体と枠体との距離または角度が変化することによって、上記開閉体に一部が当接可能であり、他の一部が上記噴霧剤入り容器の押栓を押し込むことが可能であり、当該当接を当該押栓に伝達して、この押栓を押し込む第１の当接押込み機構と、
この第１の当接押込み機構において、上記押栓を押し込む方向に対してほぼ直交する方向に移動可能なように取り付けられ、上記噴霧剤入り容器の押栓を押しこみ開始時には移動せず、この押栓をある程度押しこんでからは、当該押栓の反撥力によって、当該押栓から離脱するように上記移動するとともに、  この第１の当接押込み機構が復帰するときには、上記移動に対して復動するように移動する移動体とを備えたことを特徴とする開閉部の噴霧剤の噴霧機構。
【請求項６】
枠体に対して開閉体が開閉されるように取り付けられた、二つの空間を仕切る開閉部と、
この開閉部の枠体に取り付けられ、内部に噴霧剤が入れられて、押す力により当該噴霧剤を噴射口から噴射させる押栓を備えた噴霧剤入り容器と、
上記開閉部の開閉体に取り付けられ、上記開閉部の開閉に応じて開閉体と枠体との距離または角度が変化することによって、上記枠体に一部が当接可能であり、他の一部が上記噴霧剤入り容器の押栓を押し込むことが可能であり、当該当接を当該押栓に伝達して、この押栓を押し込む第１の当接押込み機構と、
この第１の当接押込み機構において、上記押栓を押し込む方向に対してほぼ直交する方向に移動可能なように取り付けられ、上記噴霧剤入り容器の押栓の押しこみ開始時には移動せず、この押栓をある程度押しこんでからは、当該押栓の反撥力によって、当該押栓から離脱するように上記移動するとともに、  この第１の当接押込み機構が復帰するときには、上記移動に対して復動するように移動する移動体とを備えたことを特徴とする開閉部の噴霧剤の噴霧機構。
【発明の詳細な説明】
【技術分野】
【０００１】
本発明は、開閉部の噴霧剤の噴霧機構に関する。
【背景技術】
【０００２】
従来、住宅、アパート、マンション等の居住空間内には、様々な臭いが滞留している。それらの臭いの発生源は、その居住空間内にある家具、壁紙又は、居住者が着用する衣服や靴などである。特に、衣服、靴その他は、人体から発せられる汗や皮脂に、細菌が作用して発せられる様々な臭いと、それら衣服、靴固有の臭いが混ざりあい複雑な臭いとなっている。それらの臭いは、一般に生活臭と呼ばれ、その居住空間内に生活する者には、気にならないが、外部の人間にとっては、異臭と感じる場合がある。
【０００３】
そこで、それらの臭いを消すべく、様々な消臭剤や芳香剤（以下「噴霧剤」という）が用いられている。このような噴霧剤を扉に取り付けて、扉の開閉に伴って、自動的に噴霧を行うものが考えられてきている。
【０００４】
【特許文献１】特開２００３−１８４４５１号公報
【特許文献２】実願平０２−０５５５００号（実開平０４−０１４６８５号）のマイクロフィルム
【特許文献３】特開２０００−１８９０３３号公報
【発明の開示】
【発明が解決しようとする課題】
【０００５】
このような扉の開閉に伴って自動的に噴霧を行うには、扉または扉の周囲の壁などに噴霧機構を取り付けなくてはならない。しかしながら、扉には種々の種類があり、右側で開閉するもの、左側で開閉するもの、室内側に開くもの、室外側に開くもの、回動式、スライド式などがあり、さらには窓を考慮に入れると、上側で開閉するもの、下側で開閉するものなどがさらに付け加わる。
【０００６】
このような種々の種類の開閉部に噴霧機構を対応させるには、多くの種類の噴霧機構を用意しなくてはならなかった。本発明の目的は、種々の種類の開閉部に１つの装置で対応できる噴霧機構を提供することである。
【課題を解決するための手段】
【０００７】
上記目的を達成するために、本発明の開閉部の噴霧剤の噴霧機構は、開閉部の開閉体に取り付けられ、上記開閉部の開閉に応じて開閉体と枠体との距離または角度が変化することによって、上記枠体に一部が当接可能であり、他の一部が上記噴霧剤入り容器の押栓を押し込むことが可能であり、当該当接を当該押栓に伝達して、この押栓を押し込む第１の当接押込み機構と、  この第１の当接押込み機構と左右対称の構造の第２の当接押込み機構を、上記押栓に対して、当該第１の当接押込み機構と左右対称の位置に取り付け可能とした。
【発明の効果】
【０００８】
これにより、第１の当接押込み機構と左右対称の第２の当接押込み機構を取り付け可能としたから、開閉部の開閉方向が左右逆になっても、噴霧機構を作動させることができる。例えば、右側で開閉するものでも、左側で開閉するものでも、いずれでも噴霧機構を作動させることができる。
【０００９】
また、第１の当接押込み機構と第２の当接押込み機構とは、ほぼ左右対称であるから、第１の当接押込み機構を作動させるときと、第２の当接押込み機構を作動させるとき、つまり開閉部の開閉方向が左右逆になるとき、第１の当接押込み機構の取り付け位置と第２の当接押込み機構の取り付け位置とをほぼ左右対称の位置にすれば済み、細かい位置調整を左右で変える必要がなくなり、当接押込み機構の取り付け位置を左右でほぼ同じ位置にできる。
【発明を実施するための最良の形態】
【００１０】
（１）噴霧機構の構造（第１実施例）
図１乃至図３は開閉部の噴霧剤の噴霧機構の第１実施例の全体外観を示す。開閉部２０１の四角枠状の枠体２０２の中には扉２０３、３６（開閉体）が収納され、この扉２０３、３６の左縁と上記枠体２０２左側との間には複数の兆番が取り付けられ、当該扉２０３、３６が左縁を中心軸として右側で回動可能に開閉可能となっている。この開閉部２０１によって、二つの空間が仕切られる。
【００１１】
図１に示すように、この扉２０３、３６の室内側の左側には縦に細長い方形板状の金属製の台座２０４が着脱自在に固定されている。この固定は木ねじ、シート磁石、面ファスナー、両面テープなどによる。図２に示すように、この台座２０４の左右両側は延出され手前に折り曲げられて中央折り曲げ部２０５Ｌ、２０５Ｒが形成されている。この中央折り曲げ部２０５Ｌ、２０５Ｒの中央には縦に延びる係合穴２０６Ｌ、２０６Ｒが形成されている。
【００１２】
上記台座２０４の左右両縁の上端も延出され手前に折り曲げられて上部折り曲げ部２０７Ｌ、２０７Ｒが形成されている。この上部折り曲げ部２０７Ｌ、２０７Ｒの上縁はさらに互いに内向きに折り曲げられストッパー部２０８Ｌ、２０８Ｒが形成されている。このストッパー部２０８Ｌ、２０８Ｒによって噴霧剤入り容器２３０の首部が上方へスライドするのが防止される。
【００１３】
金属製のカバー部２１０は方形板状であり、このカバー部２１０の両側は奥側に折り曲げられ側面部２１１Ｌ、２１１Ｒが形成されている。この側面部２１１Ｌ、２１１Ｒの先端縁は上記台座２０４の中央折り曲げ部２０５Ｌ、２０５Ｒの係合穴２０６Ｌ、２０６Ｒに係合して、中央折り曲げ部２０５Ｌ、２０５Ｒを両側から内側に付勢可能となっている。
【００１４】
このカバー部２１０の上部両側は、上記側面部２１１Ｌ、２１１Ｒとは分離され、奥側に折り曲げられ、しかも上に向かって窄まっていて、上端カバー部２１２Ｌ、２１２Ｒが形成されており、この上端カバー部２１２Ｌ、２１２Ｒによって噴霧剤入り容器２３０が上方へスライドされるのが防止される。このカバー部２１０の中央には縦に伸びる覗き窓２１３が形成されている。
【００１５】
上記台座２０４の中央折り曲げ部２０５Ｌ、２０５Ｒの間に噴霧剤入り容器２３０を収納し、カバー部２１０を台座２０４に取り付けると、カバー部２１０の側面部２１１Ｌ、２１１Ｒが、台座２０４の中央折り曲げ部２０５Ｌ、２０５Ｒを外側から挟持する。すると、噴霧剤入り容器２３０が両側から挟持され容易に落下しないようになる。また、覗き窓２１３を通して、噴霧剤入り容器２３０の中の噴霧剤の残量を確認できる。
【００１６】
上記台座２０４の上部折り曲げ部２０７Ｌ、２０７Ｒのさらに上の両側は延出されて手前側に折り曲げられ、さらに外側に折り曲げられ、軸支面２２１Ｌ、２２１Ｒが形成されている。この軸支面２２１Ｌ、２２１Ｒの中央にはねじ穴２２２Ｌ、２２２Ｒ（当接押込み機構・軸支部）が形成されていて、このねじ穴２２２Ｌ、２２２Ｒ内面にはねじ溝が形成されている。
【００１７】
上記ねじ穴２２２Ｌ、２２２Ｒのいずれか一方には、軸ピン２２３（当接押込み機構・軸支部）が着脱自在にねじ留め固定されている。この軸ピン２２３には、ほぼＬ字型のロッド２２４が軸支される。このロッド２２４（当接押込み機構）のＬ字型の中央屈曲部分付近には軸穴２２５（軸支部）が形成され、この軸穴２２５に上記軸ピン２２３が挿通され、ロッド２２４が軸支されて揺動可能となっている。
【００１８】
上記台座２０４の最上端中央には手前に延びるストッパー杆２２６が連結固定されている。上記ロッド２２４のＬ字型の垂直方向に延びる一方（一端／一部）は、当接端２２７となっており、Ｌ字型の水平方向に延びる他方（他端／一部）は、押込み端２２８となっている。この当接端２２７と押込み端２２８とは、軸ピン２２３（軸支部）に対して互いにほぼ直交する方向に位置している。
【００１９】
上記上部折り曲げ部２０７Ｌ、２０７Ｒ、ねじ穴２２２Ｌ、２２２Ｒ（当接押込み機構）などを有する上記台座２０４は左右対称であり、噴霧剤入り容器２３０の押栓２３１に対して、ねじ穴２２２Ｌ、２２２Ｒは左右対称の位置にある。
【００２０】
上記上端カバー部２１２Ｌ及び２１２Ｒの間は、切欠されていて、挟み込み部２１４となっていて、この挟み込み部２１４の中央には突起が形成されている。この突起を含む挟み込み部２１４には、小さいスポンジまたは布（吸収体）などが挟み込まれたり、この突起に差し込まれたりする。このスポンジまたは布には、噴霧剤入り容器２３０の押栓２３１から噴霧剤が噴霧されたとき、垂れた噴霧剤が吸収されて、噴霧される噴霧剤のうち一部または全部が吸収される。
【００２１】
これにより、垂れた噴霧剤を吸収して、噴霧機構を汚れないようにすることができる。また、このようなスポンジまたは布に噴霧剤を吸収させることによって、スポンジまたは布から噴霧剤を蒸発させて、噴霧剤の効果を持続させることができる。このようなスポンジまたは布の形状は花、動物など種々の形状にすることもできる。
【００２２】
さらに、扉（開閉体）２０３をゆっくり開閉したときには、噴霧剤が勢いよく噴霧されず噴霧剤が垂れてしまうことがある。このような場合の噴霧剤の垂れを上記スポンジまたは布に吸収させることもできる。これにより、噴霧機構が汚れるのを防止することができる。
【００２３】
ストッパー杆２２６の先端にはねじ穴（図示せず）がけ形成され調節ねじ（図示せず）が螺合されている。この調節ねじは回されることによって、ストッパー杆２２６の下方からの突出量が調整される。この調節ねじの突出量を大きくなるように調整すると、ロッド２２４の押込み端２２８がストッパー杆２２６へ当接する静止位置が下がり、扉（開閉体）２０３の開閉に伴うロッド２２４の押込み端２２８のストローク量も小さくなって変化する。これにより、噴霧剤入り容器２３０の押栓２３１の押し込み量が小さくなって、噴霧剤の噴霧量を少なくすることができる。
【００２４】
また、上記調節ねじを逆に回すと、ロッド２２４の押込み端２２８がストッパー杆２２６へ当接する静止位置が上がり、扉（開閉体）２０３の開閉に伴うロッド２２４の押込み端２２８のストローク量も大きくなって変化する。これにより、噴霧剤入り容器２３０の押栓２３１の押し込み量が大きくなって、噴霧剤の噴霧量を多くすることができる。このように噴霧剤入り容器２３０の押栓２３１の押し込み量を変えて、噴霧剤の噴霧量を調整することができる。
【００２５】
（２）噴霧機構の動作（第１実施例）
図２に示すように、上記扉２０３、３６（開閉体）が開閉されるとき、扉２０３、３６の開閉に応じて扉２０３、３６左側と枠体２０２左側との距離または角度が変化する。第１実施例では、図３に示すように、扉２０３、３６が閉じられるとき、扉２０３、３６左側が枠体２０２の左側に対して近づく。
【００２６】
そうすると、ロッド２２４の当接端２２７が左側の枠体２０２に当接され、ロッド２２４の押込み端２２８が上記噴霧剤入り容器２３０の押栓２３１を押し込み、上記当接が押栓２３１に伝達され、この押栓２３１が押し込まれる。なお、ロッド２２４が大きく揺動した場合、当接端２２７が台座２０４の上端のストッパー杆２２６に当接して、ロッド２２４の揺動／傾動が規制される。
【００２７】
噴霧剤入り容器２３０の中には、液体の消臭剤、防臭剤、芳香剤、消毒剤、除菌剤、抗菌剤、殺菌剤、殺虫剤、殺鼠剤またはこれらの２種類以上の混合剤などの噴霧剤が収納されている。この噴霧剤入り容器２３０の上部には押栓２３１が設けられ、この押栓２３１を押し込むと、この押栓２３１の噴射口２３２から噴霧剤が霧状に噴霧される。
【００２８】
図１乃至図３の実施例では、扉２０３、３６を閉じるときに噴霧剤の噴霧が行われる。扉２０３、３６を閉じているときには、ロッド２２４の押込み端２２８が噴霧剤入り容器２３０の押栓２３１を押したままとなる。しかし、上記押栓２３１の中にはポンプと弁とが内蔵され、噴霧剤入り容器２３０の中には、噴霧圧力をつくる液化ガスなどの圧力ガスは封入されていない。
【００２９】
したがって、上記噴霧剤入り容器２３０の押栓２３１は１回の押し込みで一定量だけの噴霧剤が噴射され、押栓２３１を押し込んだままとしても、噴霧剤の噴霧は終了するので、噴霧剤が出っぱなしになることはない。扉２０３、３６を開いているときには、ロッド２２４の押込み端２２８の押栓２３１への押し込みは開放／解除される。
【００３０】
（３）噴霧機構の左右付け替え（第１実施例）
図３に示すように、噴霧機構の左右付け替えをするには、台座２０４を扉２０３、３６から取り外し、軸ピン２２３（当接押込み機構）を台座２０４の左側の軸支面２２１Ｌ（または２２１Ｒ）のねじ穴２２２Ｌ（または２２２Ｒ）から取り外し、ロッド２２４（当接押込み機構）も台座２０４から取り外し、ロッド２２４を裏返して、ロッド２２４の軸穴２２５に軸ピン２２３を挿通させて、軸ピン２２３を右側の軸支面２２１Ｌ（または２２１Ｒ）のねじ穴２２２に螺合させて固定する。そして、この台座２０４を扉２０３、３６の右側に取り付け、台座２０４に噴霧剤入り容器２０３を装着する。
【００３１】
このとき、ロッド２２４の当接端２２７を垂直方向に位置させ、押込み端２２８を水平方向に位置させ、当接端２２７が右側の枠体２０２に当接するようにし、押込み端２２８が付け替えられた噴霧剤入り容器２３０の押栓２３１を押し込むようにする。
【００３２】
この結果、Ｌ字型のロッド２２４（第１の当接押込み機構）は、台座２０４の左側の軸穴（第１の当接押込み機構）２２５の軸支位置（第１の軸支位置）からはずされ、上記押栓２３１に対して、当該軸支位置と左右対称の位置にある右側の軸穴（第２の当接押込み機構）２２５の軸支位置（第２の軸支位置）に、裏返されて取り付けられる。
【００３３】
すなわち、左側に取り付けられたロッド２２４、軸ピン２２３、軸穴２２５（第１の当接押込み機構）と、右側に付け替えられたロッド２２４、軸ピン２２３、軸穴２２５（第２の当接押込み機構）とは、上記押栓２３１に対して、互いに左右対称の構造・形状となっており、左右対称の位置に取り付けられることになる。
【００３４】
これにより、開閉部２０１の扉２０３、３６の開閉方向が左右逆になっても、本噴霧機構を作動させることができ、右側で開閉する扉２０３、３６／開閉部２０１でも、左側で開閉する扉２０３、３６／開閉部２０１でも、いずれでも噴霧機構を作動させることができる。
【００３５】
（４）噴霧機構（第２実施例）
図４は、本発明の開閉部の噴霧剤の噴霧機構の第２実施例を示す。本実施例では軸ピン２２３と噴霧剤入り容器２３０の押栓２３１との間隔が広げられる。そして、Ｌ字型のロッド２２４の押込み端２２８の先端にはローラー２４０（当接押込み機構・移動体）が回転自在に取り付けられている。このローラー２４０のローラー軸２４２は、ロッド２２４の押込み端２２８の先端のスライド孔２４３内を回転しながらスライド可能となっている。このスライド孔２４３（移動体）は湾曲している。
【００３６】
上記軸ピン２２３には付勢バネ２４１が巻きつけられており、この付勢バネ２４１の一端はロッド２２４の裏面に係止され、他端は上記軸支面２２１Ｌ（または２２１Ｒ）に係止され、押し広げる付勢状態で装着されて、ロッド２２４を枠体２０２方向つまり反時計回り方向に付勢している。
【００３７】
このような噴霧機構において、扉２０３を閉じ始めると、ロッド２２４の当接端２２７が枠体２０２に当接し、ロッド２２４のローラー２４０が下動して噴霧剤入り容器２３０の押栓２３１を押し込み始める。このとき、ローラー２４０のローラー軸２４２は、湾曲したスライド孔２４３の先端の方に位置し、確実に押栓２３１を押し込むことができる。これにより噴霧剤の噴霧が行われる。
【００３８】
そしてさらに、扉２０３を閉じると、押栓２３１の反撥力が強くなって、ローラー２４０に斜め方向の力が生じ、ローラー軸２４２がスライド孔２４３内をスライドし、押し込み方向にほぼ直交方向に移動し、ロッド２２４のローラー２４０が押栓２３１から外れる。これにより、噴霧剤入り容器２３０の押栓２３１が押されたままになることはなく、噴霧は所定量で終了し、押栓２３１を押し続けると噴霧を続けてしまう液化圧力ガスが封入された噴霧剤入り容器２３０でも所定量のみの噴霧を行うことができる。
【００３９】
ついで、扉２０３を開けると、ロッド２２４の当接端２２７が開放され、付勢バネ２４１の付勢によって、押込み端２２８は上動し、ローラー２４０も上動して噴霧剤入り容器２３０の押栓２３１の上まで戻る。このとき、ローラー２４０のローラー軸２４２は、スライド孔２４３内をスライドするので、ローラー２４０が戻るとき押栓２３１に引っかかることがない。
【００４０】
ロッド２２４の当接端２２７が押栓２３１の上までくると、押栓２３１への当接がなくなるので、ローラー２４０はスライド孔２４３内を自重でスライド移動し元の位置に復帰する。こうして、開閉のたびに押栓の押し込みと解除とを繰り返すことができる。他の構成、作用、動作は上記第１実施例と同じであり、説明を省略する。
【００４１】
このような噴霧機構を左右付け替えるときには、上述の第１実施例と同様に、軸ピン２２３を付け替え、ロッド２２４、ローラー２４０、付勢バネ２４１などを裏返して付け替える。このとき、ローラー軸２４２はねじ状であり、これを緩めてローラー２４０からはずし、ロッド２２４の反対側にローラー２４０をローラー軸２４２でねじ留めすればよい。
【００４２】
この場合、ロッド２２４を２枚とし、この２枚のロッド２２４の間にローラー２４０を挟み込めば、ローラー２４０を付け替える必要はなくなる。なお、ローラー２４０の周面にはＶ字状の切り欠き部が形成され、噴霧のとき押栓２３１の押し込みを円滑にし、しかも復帰のとき押栓２３１に引っかかりを少なくするようにしてもよい。他の構成、作用、動作は上記第１実施例と同じであり、説明を省略する。
【００４３】
（５）噴霧機構（第３実施例）
図５は第３実施例を示す。この第３実施例では、押込み端２２８はさらに長くなり、スライド孔２４３（移動体）もさらに先に移動して太くなって逃げ孔部２４３ａ（移動体）となっており、このスライド孔２４３の基の方には入込み孔部２４３ｂ（移動体）が形成されている。この逃げ孔部２４３ａと入込み孔部２４３ｂとは互いにほぼ直交する方向に位置している。
【００４４】
このような噴霧機構において、扉２０３を閉じ始めると、ロッド２２４の当接端２２７が枠体２０２に当接し、スライド孔２４３の基の入込み孔部２４３ｂにローラー軸２４２が入ったまま、ローラー２４０（当接押込み機構・移動体）が下動して噴霧剤入り容器２３０の押栓２３１を押し込み始める。このとき、ローラー軸２４２は、入込み孔部２４３ｂの上方に当接するが、入込み孔部２４３ｂから抜け出してしまうことはない。これにより、ローラー２４０が、確実に押栓２３１を押し込むことができ、噴霧剤の噴霧が行われる。
【００４５】
そしてさらに、扉２０３を閉じると、押栓２３１の反撥力が強くなって、ローラー２４０に斜め方向の力が生じ、ローラー軸２４２が入込み孔部２４３ｂから押し込み方向にほぼ直交する方向に飛び出して逃げ孔２４３ａに移動し、ロッド２２４のローラー２４０が押栓２３１から外れる。
【００４６】
これにより、噴霧剤入り容器２３０の押栓２３１が押されたままになることはなく、噴霧は所定量で終了し、押栓２３１を押し続けると噴霧を続けてしまう液化圧力ガスが封入された噴霧剤入り容器２３０でも所定量のみの噴霧を行うことができる。
【００４７】
ついで、扉２０３を開けると、ロッド２２４の当接端２２７が開放され、付勢バネ２４１の付勢によって、押込み端２２８は上動する。このとき、ローラー軸２４２は逃げ孔部２４３ａにあって、ローラー２４０は押栓２３１に引っかかることはない。ロッド２２４の当接端２２７が押栓２３１の上までくると、逃げ孔部２４３ａの傾斜の向きが変わり、ローラー軸２４２は逃げ孔部２４３ａ内を基に向かって自重でスライド移動し、入込み孔部２４３ｂに入込んで復帰する。
【００４８】
こうして、開閉のたびに押栓の押し込みと解除とを繰り返すことができる。他の構成、作用、動作は上記第１実施例と同じであり、説明を省略する。なお、ローラー軸２４２は、スライド孔２４３の幅の広い逃げ孔部２４３ａ及び入込み孔部２４３ｂから外れないようにガイド板（図示せず）などが取り付けられる。
【００４９】
なお、図４の上記第２実施例では、スライド孔２４３の延びる方向は、押栓２３１に対して、軸ピン２２３側ではなく、ロッド２２４の先端側に延びていて、ローラー２４０は外側に飛び出してモードよい。また、図５の第３実施例では、スライド孔２４３の延びる方向は、押栓２３１に対して、ロッド２２４の先端側ではなく、軸ピン２２３側に延びていて、ローラー２４０は内側に飛び出してモードよい。また、上記第２実施例および第３実施例のローラー２４０は、押栓２３１を押し込んで側方に飛び出すことができれば、どのような形態であってもよい。
【００５０】
（６）ロッド２２７（第６実施例）
図１４は、上記ロッド２２７の変形例（第６実施例）を示す。このロッド２２７では、当接端２２７と押込み端２２８とのなす相対的位置、相対的角度または相対的距離を変更して、扉２０３、枠体２０２、噴霧機構の互いの相対的位置・相対的距離・相対的角度の変化に応じて、扉２０３または枠体２０２への最適な当接状態、押栓２３１の最適な押込み状態または噴霧剤入り容器２３０の最適な噴霧状態を実現するための調整を行うことができる。
【００５１】
当接端２２７と押込み端２２８とは別体で分離されており、当接端２２７の基端と押込み端２２８の基端との両方に軸穴２２５が形成され、この軸穴２２５に軸ピン２２３が挿通され、上記軸支面２２１Ｌ（２２１Ｒ）のねじ穴２２２Ｌ（２２２Ｒ）にねじ留めされる。
【００５２】
上記当接端２２７と押込み端２２８との間の軸ピン２２３の周囲には、らせん状の付勢バネ２４４が巻き付けられるように、付勢バネ２４４内を軸ピン２２３が挿通している。この付勢バネ２４４の一端は当接端２２７に固定固着され、他端は押込み端２２８に固定固着されていて、当接端２２７と押込み端２２８とを押し広げて離間するように付勢している。
【００５３】
この付勢バネ２４４の両端は、当接端２２７及び押込み端２２８より突出して、環状になっていて、この両環に渡って調節器２４５が取り付けられている。この調節器２４５は、ボルトとナットよりなり、上記両環にボルトが挿通され、このボルトにナットが螺合されて両環が固定される。
【００５４】
この付勢バネ２４４の付勢に抗して調節器２４５を締めると、当接端２２７と押込み端２２８とは押し広げられて離間される。また、付勢バネ２４４の付勢に沿って調節器２４５を緩めると、当接端２２７と押込み端２２８とは引き狭められて接近される。これにより、当接端２２７と押込み端２２８とのなす角度が変化して、調節を行うことができ、扉２０３または枠体２０２への最適な当接状態、押栓２３１の最適な押込み状態または噴霧剤入り容器２３０の最適な噴霧状態を実現できる。
【００５５】
（７）噴霧機構の構造（第４実施例）
図６及び図７には、本発明による第３実施例の開閉部の噴霧剤の噴霧機構６５の様子が示されている。この開閉部の噴霧剤の噴霧機構６５は、扉６６（開閉体）のような左右方向にスライドさせて開閉される引き戸に使用される。この開閉部の噴霧剤の噴霧機構６５は、厚みの比較的薄い鉄板がほぼ長方形に切り取られて作られた台座６７と、ホルダー４７と、上下方向に振動されるＬ字型のスイングアーム６８（当接押込み機構・アーム体）とから主に構成されている。
【００５６】
ホルダー４７は、第２実施例におけるホルダー４７と同一構造であり、薄い鉄板若しくはプラスチックなどの可撓性を有する素材から作られている。その外形は、薄い板が長方形に象られたホルダー本体５７を中心に、そのホルダー本体５７の両脇から前方に突出し、かつ、薄い板がＵ字型に湾曲されて作られた狭持板５５、５６を備える構造のものである。
【００５７】
また、ホルダー本体５７の裏面には、磁石５３、５４が埋め込まれている。そして、この磁石５３、５４の磁力によってホルダー４７が台座６７表面に取り付けられている。台座６７は、上述されたように、薄い鉄板が長方形に作られた本体部分と、その本体部分の上部右端から薄い板が上方に延びた構造のアーム支持部６９とから構成されている。
【００５８】
そして、このアーム支持部６９の上端に、スイングアーム６８がピン７０で取り付けられている。このピン７０の周りには、ねじりコイルバネ７１が装備されている。このねじりコイルバネ７１は、第１実施例におけるねじりコイルバネ３３と同様の構造であり、弾性の細線鋼材が円形に丸められて作られている。
【００５９】
そして、その円形に丸められた細線鋼材の両端から延びるアームピン７２、７３に加えられる捻れ応力に対して反発力が発せられる。アームピン７２は、台座６７のアーム支持部６９に固定されており、アームピン７３はスイングアーム６８に固定されている。スイングアーム６８は、薄い板がＬ字型に切り取られた形であり、その先端にローラー７４（当接押込み機構・転動体）が取り付けられている。
【００６０】
また、スイングアーム６８の中央部分には、下方に延びた瘤の形に似た突起部７５（当接押込み機構）がもうけられており、この突起部７５がスプレー４６（噴霧剤入り容器）のノズル５２（押栓）の頭部に当てられている。また、アームピン７３は、ねじりコイルバネ７１の弾性力により、ピン７０を中心に時計回りに回転される。なお、アームピン７３が必要以上に時計回りに回転しないよう、ストッパー８４がアーム支持部６９の頂上に設けられている。
【００６１】
他方、台座６７が取り付けられる扉６６は、鴨居７７の下面に設けられた溝７８に沿って左右に移動される。鴨居７７は、柱７６に穿たれたほぞ穴に填め込まれており、この柱７６で鴨居７７は支持されている。そして、扉６６が鴨居７７の溝７８に沿ってスライドされて閉じられると（図１１では左方向）、扉６６が柱７６に当接される。鴨居７７の溝７８の横には、この溝７８に沿わせるようにローラーガイド８１（当接押込み機構・ガイド体）が取り付けられている。
【００６２】
このローラーガイド８１は、やや幅の厚い板材が二つのこぶ山７９、８０とそのこぶ山７９、８０の間に凹み８２を有するように形作られている。また、ローラーガイド８１は、鴨居７７において、柱７６よりやや離れた位置に取り付けられている。これにより、扉６６が閉じられたとき、ローラーガイド８１のこぶ山８０と柱７６との間に、ローラー７４が填り込む隙間８３が形成される。
【００６３】
（８）噴霧機構の動作（第５実施例）
図７には、扉６６が柱７６方向に移動され、扉６６が閉じられる直前の様子が示されている。扉６６が鴨居７７の溝７８に沿って左右に移動されると、スイングアーム６８のローラー７４が、ローラーガイド８１の稜線に沿って移動され転動される。
【００６４】
なぜなら、スイングアーム６８は、ねじりコイルバネ７１を介して台座６７のアーム支持部６９に取り付けられているので、スイングアーム６８が、ピン７０を中心に時計回りに回転される。この結果、ローラー７４がローラーガイド８１に接しようとする。これにより、扉６６がスライドされて、ローラー７４がローラーガイド８１のこぶ山８０に当たると、こぶ山８０によってローラー７４が反時計回りの方向に押される。
【００６５】
ローラー７４がこぶ山８０によって反時計回りの方向に押されることで、スイングアーム６８の突起部７５がスプレー４６のノズル５２が押される。スプレー４６は、ポンプ式のスプレーであり、ノズル５２が押されると、スプレー４６の薬液がノズル５２から霧状に噴出される。
【００６６】
ノズル５２内に内蔵されたポンプは、ノズル５２が押し込まれた後、元の位置に復帰されると、そのポンプの働きでスプレー４６内の薬液が吸い出され、そのポンプ内に滞留される。その後、ノズル５２が押し込まれると、ポンプ内に滞留された薬液のみがノズル５２から噴射される。よって、ノズル５２内のポンプ内に滞留している薬液が噴霧されると、それ以上の薬液は噴霧されない。
【００６７】
したがって、ノズル５２が押し込まれ続けても、必要以上にスプレー４６内の薬液が噴霧されることはない。また、扉６６がスライドされると、ローラー７４が、ローラーガイド８１のこぶ山７９部分、凹み８２部分、こぶ山８０部分と順次移動されるので、扉６６の開閉に伴って、２回、スプレー４６の薬液が噴射される。
【００６８】
ポンプ式のスプレー４６は、上述されたように、ノズル５２の押し込みで薬液が噴射されるが、ノズル５２内のポンプ内に全く薬液が滞留されていないと、薬液が良好に噴射されない。この場合、ノズル５２の１回目の押し込み動作で、スプレー４６内の薬液がノズル５２のポンプ内に吸い出され、２回目の押し込み動作で薬液が初めて噴射される。
【００６９】
したがって、ローラーガイド８１の二つのこぶ山７９、８０により、より確実に薬液が噴射される。なお、頻繁に扉６６が開閉される場合は、２回連続して薬液が噴射される場合がある。また、扉６６が開けられるときも、やはり、スイングアーム６８がローラーガイド８１で上下動されるので、薬液が噴射される。
【００７０】
加えて、扉６６が完全に閉じられると、ローラー７４がローラーガイド８１と柱７６との間に作られた隙間８３に填るので、ノズル５２がスイングアーム６８の突起部７５で押されることがない。このように、本発明の第５実施例の開閉部の噴霧剤の噴霧機構６５は、左右方向にスライドされて開閉される扉６６の室内（屋内）側の面に取り付けられると共に、扉６６の開閉に伴って、開閉部の噴霧剤の噴霧機構６５に装着されたスプレー４６内の薬液が噴射される構造とされた。
【００７１】
（９）噴霧機構の左右付け替え（第５実施例）
このような噴霧機構を左右付け替えるには、上述の第１実施例、第２実施例及び第３実施例と同様に、ピン７０をはずし、ねじりコイルバネ７１、スイングアーム６８、ローラー７４またはローラーガイド８１を裏返して取り付ける。この場合図１１及び図１２には、ノズル５２に対して左右対称の位置にはピン７０を取り付ける孔は省略されているが、実際には台座６７の左上角が上方へ延出されてこの孔が設けられる。
【００７２】
（１０）噴霧機構１の構造（第５実施例）
図８には、本発明の開閉部の噴霧剤の噴霧機構１の上観平面図が示されている。また、図９には、開閉部の噴霧剤の噴霧機構１の下側を観た図と、開閉部の噴霧剤の噴霧機構１の稼働部分２の上観平面図が示されている。つまり、図９には、稼働部分２の平面と下面における各部材の位置関係が理解できる図が示されている。さらに、図１０には、稼働部分２の構成部材であるリンクアーム７及びリンクアーム１３の平面と上面の様子が示されている。
【００７３】
図１０に示すとおり、扉の屋内側の面に開閉部の噴霧剤の噴霧機構１の基台６が取り付けられ、基台６上には、スプレー缶３が板バネ４で固定され、スプレー缶３のノズル５は、リンクアーム７の端９によって押し下げられる。このリンクアーム７は、リンクアーム１３、ストッパーアーム１９、スイングアーム２４の連携動作で揺動され、リンクアーム７の先端１０にリンクアーム１３のピン１４が接触される。
【００７４】
リンクアーム１３の動きは、リンクアーム１３の係り爪１８にストッパーアーム１９の係合板２０が係合されて抑制され、リンクアーム１３は、スイングアーム２４と共にピン１５で基台６上に取り付けられている。スイングアーム２４の先端には、扉３６に当たるローラー３０があり、扉３６でスイングアーム２４が押されると、辺２５でストッパーアーム１９が押されて、リンクアーム１３が反時計回りに回動され、リンクアーム７を反時計回り揺動させ、スプレー缶３のノズル５が押し下げられる。
【００７５】
さらに、扉３６でスイングアーム２４が押されると、リンクアーム１３のピン１４が、リンクアーム７の垂下当接板１２から外れる。この結果、リンクアーム７の端９がスプレー缶３のノズル５を押し込むことが消失し、スプレー缶３内の噴霧剤の噴霧が停止される。これにより、ノズル５を押し続けると噴霧を続けてしまうスプレー缶３でも一定量のみの噴霧を行うことができる。
【００７６】
開閉部の噴霧剤の噴霧機構１は、主に、稼働部分２とスプレー缶３とから構成されている。そして、稼働部分２の作用によって、スプレー缶３のノズル５が押し下げられることで、スプレー缶３内の薬液（噴霧剤のこと、以下薬液という）が噴霧（散布またはエアゾールともいう、以下または以上同じ）される。なお、以下の説明において、スプレー缶３内に封入される液は、芳香剤、消臭剤、アルコールなどの殺菌液等、人体に害のないあらゆる液が含まれるものとし、それらを総称して薬液とする。
【００７７】
開閉部の噴霧剤の噴霧機構１は、縦長な直方体形状の基台６の上に上記稼働部分２とスプレー缶３とが取り付けられて構成されている。スプレー缶３は、その内部に、芳香剤又は消臭剤などの薬液が封入されており、ＬＰガスの圧力によりその薬液が外部に噴霧される。スプレー缶３は、基台６の側部に寝かせて載置され、さらにその上を板バネ４によって固定されている。
【００７８】
このスプレー缶３の脇で基台６上に稼働部分２が設置されている。稼働部分２は、４本のリンクアームから構成されている。第１のリンクアーム７は、平板が「へ」の字形に切り取られて作られており、そのリンクアーム７のほぼ中央に貫通されたピン８で基台６に取り付けられている。
【００７９】
そして、リンクアーム７がピン８部分を支点としてシーソーのように揺動される。また、リンクアーム７の一方の端９部分は丸く作られており、スプレー缶３のノズル５の上部に滑らかに接触される。そして、リンクアーム７が揺動されることで、ノズル５が端９部分で押し下げる。また、リンクアーム７の他方の先端１０は、偶蹄目の足先の様な形状に作られている。具体的には、直線的に裁断された辺１１と、その辺１１部分の下面に、板状の垂下当接板１２が垂下して設けられている。
【００８０】
このリンクアーム７の垂下当接板１２に、リンクアーム１３に立設されたピン１４が擦って移動される。リンクアーム１３は、第２のリンクであり、平板で作られており、しかも外形がおおよそ三角形に象られている。
【００８１】
また、リンクアーム１３は、リンクアーム７の下方で、しかも、リンクアーム１３の本体がリンクアーム７の動きを妨げない位置に設置されている。リンクアーム１３は、一方の端がピン１５で基台６に取り付けられており、このピン１５を中心として回動される。そして、リンクアーム１３の他方にある端１６の上面に上記ピン１４が立設されている。
【００８２】
また、三角形の形に作られたリンクアーム１３のその頂点１７にＶ字型の係り爪１８が設けられている。この係り爪１８には、ストッパーアーム１９が係合される。このストッパーアーム１９は、細長く延びた係合板２０が、楕円形の本体２１の先端に取り付けられた形状に作られている。また、ストッパーアーム１９全体は薄目の板で作られており、しかも本体２１の支点部分（下端部分）がピン２２で基台６の上に取り付けられている。そして、ストッパーアーム１９は、ピン２２を中心として回動される。
【００８３】
また、ストッパーアーム１９の本体２１の一方の辺には、薄手の板で作られた押され板２３が立設されている。この押され板２３に、第４のリンクアームであるスイングアーム２４の辺２５が当接される。さらに、ストッパーアーム１９と基台６との間には、薄手のねじりコイルバネ２６が装着されている。
【００８４】
このねじりコイルバネ２６は、鋼線がコイル型に巻かれたバネで、そのコイルバネの両端から延びるアームピン２７、２８に加えられる捻れに対して復元力を発揮するバネである。このねじりコイルバネ２６のコイルの中心部分に、ストッパーアーム１９のピン２２が貫通されている。そして、ねじりコイルバネ２６の一方のアームピン２７が基台６上に設けられた爪２９に固定されており、他方のアームピン２８がストッパーアーム１９の裏側（背面側）に固定されている。
【００８５】
上述されたリンクアーム１３を支持するピン１５には、スイングアーム２４も取り付けられており、このピン１５を中心にスイングアーム２４が回動される。このスイングアーム２４は、やはり薄い１枚板で作られており、その先端にローラー３０が取り付けられている。また、スイングアーム２４の基部３１には、ピン１５部分を中心として左翼方向に突出されたＬ字型膨らみ３２が設けられている。このＬ字型膨らみ３２がストッパーアーム１９の押され板２３に当接されることで、ストッパーアーム１９が反時計回りに押される。さらに、スイングアーム２４はリンクアーム１３の上方に取り付けられており、ピン１５を中心に回動される。
【００８６】
スイングアーム２４とリンクアーム１３との間には、ねじりコイルバネ２６と同じ構造のねじりコイルバネ３３が介装されている。このねじりコイルバネ３３のコイル部分がピン１５の周りに巻かれていると共に、ねじりコイルバネ３３から延びる一方のアームピン３４がリンクアーム１３の上面に固定されており、ねじりコイルバネ３３から延びる他方のアームピン３５がスイングアーム２４の裏側（下側）に固定されている。ねじりコイルバネ３３の復元力により、リンクアーム１３とスイングアーム２４とは、所定の間隔を持ったＶ型に保持されている。
【００８７】
リンクアーム７、リンクアーム１３、ストッパーアーム１９、スイングアーム２４から構成される稼働部分２は基台６上に取り付けられており、この基台６が、扉３６（開閉体）の周りにある枠木（鴨居）等に取り付けられる。その様子が図１１に示されている。基台６は、稼働部分２が取り付けられた面を下方に向け、しかも枠木３７の上部（上方）に取り付けられている。
【００８８】
また、基台６の枠木３７における取り付け位置は、扉３６を枠木３７に取り付けるドアヒンジ３８に、より近い位置とされている。この理由は、扉３６の開閉を基台６が妨害しないよう配慮したためである。なお、ドアヒンジ３８近傍に、扉３６の開閉を補助する緩衝器が付けられている場合などには、基台６が、ドアヒンジ３８の反対側である枠木３７の部分３９に取り付けられても良い。
【００８９】
（１１）噴霧機構の動作（第５実施例）
図１２には、扉３６によってローラー３０が矢印４０方向に押された状態が示されている。扉３６が開放された状態から徐々に閉じられると、扉３６にローラー３０が当接されるので、スイングアーム２４が矢印４０方向に回動される。スイングアーム２４はピン１５を中心に回動され、スイングアーム２４の辺２５がストッパーアーム１９の押され板２３に衝突される。辺２５が押され板２３に当たった状態で、さらにスイングアーム２４が回動されると、スイングアーム２４に押されてストッパーアーム１９がピン２２を中心に矢印４０方向に回動される。
【００９０】
ストッパーアーム１９が回動されると、ストッパーアーム１９の係合板２０が、リンクアーム１３の係り爪１８から外れる。ところで、係合板２０は、係り爪１８に係合していることで、リンクアーム１３の回動を防いでいた。しかし、係合板２０と係り爪１８との係合が外れることで、リンクアーム１３が自由に回動可能となる。
【００９１】
また、リンクアーム１３とスイングアーム２４とは、ねじりコイルバネ３３を介して動作が関連づけられている。つまり、ローラー３０が扉３６で押されて、矢印４０方向に回動されると、リンクアーム１３も、ねじりコイルバネ３３の復元力により、矢印４０方向へ回動しようとする。
【００９２】
しかし、リンクアーム１３は、リンクアーム１３の係り爪１８にストッパーアーム１９の係合板２０が係合されているので、スイングアーム２４が多少回動されても、動かない。そのような状態で、スイングアーム２４がストッパーアーム１９を押し出すと、リンクアーム１３の係り爪１８から、ストッパーアーム１９の係合板２０がはずれる。
【００９３】
これにより、リンクアーム１３が跳ねるように矢印４０方向に回動される。リンクアーム１３が回動されると、リンクアーム１３のピン１４が、リンクアーム７の先端１０に作られた垂下当接板１２の表面１２１を擦って移動することになる（図１０及び図１２参照）。
【００９４】
リンクアーム１３のピン１４が、リンクアーム７の垂下当接板１２の表面１２１に沿って動き、ピン１４が、リンクアーム７の辺１１の下端４１近傍に達すると、リンクアーム７がピン８を中心に、矢印４０方向に小さく回動される。これにより、リンクアーム７の他方の端９がスプレー缶３のノズル５を押し下げることになる。結果、スプレー缶３内に封入された圧縮ガスにより、スプレー缶３内の噴霧剤が噴霧される。
【００９５】
図１３には、スイングアーム２４が扉３６によってさらに押された状態の様子が示されている。図１２に示された状態から、扉３６でスイングアーム２４が矢印４０方向に、さらに押されると、リンクアーム１３が矢印４０方向にさらに回動される。リンクアーム１３が矢印４０方向に回動され続けると、リンクアーム１３のピン１４が、リンクアーム７の垂下当接板１２から外れる。これにより、リンクアーム７の矢印４０方向への回動する力が解放されることになる。結果、リンクアーム７の端９がスプレー缶３のノズル５を押し下げる力が消失し、スプレー缶３内の薬剤（噴霧剤のこと、以下薬剤という）の噴霧が停止される。
【００９６】
このように、ストッパーアーム１９の係合板２０がリンクアーム１３の係り爪１８に掛止している状態（図１１の状態）で、扉３６が閉じられると、扉３６にローラー３０が当接し、スイングアーム２４が押されて矢印４０方向に回動される。スイングアーム２４が回動されると、このスイングアーム２４で、ストッパーアーム１９が押され、係合板２０がリンクアーム１３の係り爪１８から外れる。
【００９７】
係合板２０が係り爪１８から外れると、リンクアーム１３は、ねじりコイルバネ３３の働きで矢印４０方向に回動される。これにより、リンクアーム１３のピン１４が、リンクアーム７の先端１０にある垂下当接板１２の表面１２１を擦って移動する。この結果、リンクアーム７の先端１０が押し上げられ、リンクアーム７の端９がスプレー缶３のノズル５を押し下げるので、ノズル５内の薬液（芳香剤その他）が１度だけ噴霧される。
【００９８】
扉３６が完全に閉じられると、稼働部分２は図１３に示された状態になる。この場合、上述されたように、リンクアーム１３のピン１４と、リンクアーム７の垂下当接板１２との当たりが外れるので、リンクアーム７の端９がノズル５を押し下げる力が解除される。
【００９９】
この結果、スプレー缶３から薬剤が連続して噴霧される虞はない。また、扉３６が閉じられた状態から、開け放たれると、スイングアーム２４のローラー３０を押し込む力が消失するので、スイングアーム２４、リンクアーム１３、ストッパーアーム１９に働く力は、ストッパーアーム１９に取り付けられたねじりコイルバネ２６と、リンクアーム１３及びスイングアーム２４の間にあるねじりコイルバネ３３のみとなる。
【０１００】
ねじりコイルバネ２６のアームピン２７は、基台６上に固定されているので、ねじりコイルバネ２６の復元力は、ストッパーアーム１９を矢印４２（図１３参照）方向に回転させる力として働く。ストッパーアーム１９が矢印４２方向に戻されると、リンクアーム１３を同じ矢印４２方向に押すと共に、ストッパーアーム１９の係合板２０がリンクアーム１３の係り爪１８に係合される。ストッパーアーム１９で押されたリンクアーム１３が、矢印４２方向に戻されると、リンクアーム１３のピン１４が、リンクアーム７の垂下当接板１２の裏側１２２部分を通って移動される。
【０１０１】
つまり、リンクアーム１３が矢印４２方向（図１３参照）に回動されても、リンクアーム１３のピン１４でリンクアーム７の先端１０が押し上げられることがない。ストッパーアーム１９の係合板２０がリンクアーム１３の係り爪１８に完全に係合すると、リンクアーム１３のピン１４が、垂下当接板１２の裏側１２２部分を完全に通り抜け、再び、垂下当接板１２の表面１２１側に当接されることとなる。この結果、スイングアーム２４その他で構成される稼働部分２全体が図１１の状態に遷移され、スプレー缶３の噴射準備が整えられることになる。
【０１０２】
このように、本発明の第１実施例である開閉部の噴霧剤の噴霧機構１は、扉３６が閉じられる度に、スプレー缶３のノズル５が押し下げられ、１度だけ、扉３６近傍に芳香剤などの薬液が噴霧される。したがって、扉３６開きっぱなしになっても、薬液が噴霧され続けることがなくなる。つまり、このリンク機構は、ノズル（押し下げ栓）５を押し下げて上記薬液（薬剤）を噴霧した後、上記開けられた扉３６／開閉体が復帰されなくても、当該押し下げを解除する「逃げ機構」（垂下当接板１２、ピン１４）となっている。
【０１０３】
なお、第１実施例の開閉部の噴霧剤の噴霧機構１では、リンクアーム７にねじりコイルバネ２６のようなバネを用いなかったが、リンクアーム７を矢印４２方向に回転させるように働くねじりコイルバネがリンクアーム７に取り付けられても良い。
【０１０４】
また、スプレー缶３は、圧縮ガスが封入されており、ノズル５が押し下げられると、そのガス圧によって薬液が噴霧される構造の物が用いられたが、他の方式のスプレー缶３が用いられても良い。例えば、ノズル５が勢いよく押されると、その力によって、内蔵物（薬液その他）が霧状に散布されるポンプ式のスプレーが用いられても良い。なお、スプレー缶３の交換は、板バネ４を外すか、または撓むように持ち上げられて行われる。
【０１０５】
（１２）噴霧機構の左右付け替え（第５実施例）
このような噴霧機構を左右付け替えるには、上述の第１実施例、第２実施例、第３実施例及び第４実施例と同様に、ピン８、１５、２２をはずし、リンクアーム７、ストッパーアーム１９、ねじりコイルバネ２６、スイングアーム２４、ねじりコイルバネ３３、ローラー３０を裏返して取り付ける。この場合図８及び図１３には、ノズル５に対して左右対称の位置にはピン８、１５、２２を取り付ける孔は省略されているが、実際には基台６の左縁が延長されてこれらの孔が設けられる。
【０１０６】
（１３）他の実施の形態
本発明は、上記実施例に限定されず、種々変更可能である。例えば、扉２０３、３６は回動式のほか、スライド式の扉でも実施可能である。この場合、図１乃至図５、図８乃至図１３の例でいけば、扉２０３、３６を右から左にスライドさせて閉じるときには、扉２０３、３６の左側に噴霧機構が取り付けられ、扉２０３、３６を左から右にスライドさせて閉じるときには、扉２０３、３６の右側に噴霧機構が取り付けられる。また、
【０１０７】
また、図６及び図７の扉６６は、スライド式ではなく、回動式でもよい。そして、ローラーガイド８１は鴨居７７に対して平行方向ではなく直交方向に取り付けられ、噴霧機構６５も戸６６に対して平行方向ではなく直交方向に取り付けられる。
【０１０８】
また、本噴霧機構は、扉２０３、６６側ではなく、枠体２０２、柱７６側に取り付けてもよい。この場合、図６乃至図７と同じ向きで枠体２０２、枠木３７の左枠の内側面に左側の中央折り曲げ部２０５が取り付けられて台座２０４が枠体２０２の左枠に固定され、ロッド２２４及び軸ピン２２３が右側のねじ穴２２２Ｒ（または２２２Ｌ）に付け替えられ、扉２０３、６６に突起物が設けられ、扉２０３、６６が閉じられるとき、この突起物がロッド２２４の当接端２２７、ローラー７４を当接して押すことになる。
【０１０９】
さらに図６及び図７の柱７６側に噴霧機構が左右対称の状態で取り付けられ、扉６６側の上縁にローラーガイド８１が取り付けられる。また、図８乃至図１３の噴霧機構は、枠木３７側ではなく、扉３６側に取り付けてもよい。この場合、図１１において基台６が縦向きにされて図８、図１２及び図１３のような向きとされ、当接押込み機構が左右対称の位置に付け替えられ、扉３６の左側表面に取り付けられる。そして、枠木３７が手前に突出され、扉６６を閉じるときこの突出部分に噴霧機構のローラー３０が当接する。
【０１１０】
以上のことは、扉２０３、３６、６６の開閉の向きが左右逆になっても可能である。この場合、枠体２０２、枠木３７、柱７６、鴨居７７の右枠の内側面に右側の中央折り曲げ部２０５Ｒが取り付けられて台座２０４、６７、基台６が枠体２０２、枠木３７、柱７６、鴨居７７の右枠に固定され、ロッド２２４及び軸ピン２２３が左側のねじ穴２２２Ｌに取り付けられる等して、図１乃至図１３の噴霧機構の左右の付け替えが行われ、扉２０３、３６、６６に突起物が設けられて、扉２０３、３６、６６が閉じられるとき、この突起物がロッド２２４の当接端２２７またはローラー３０、７４を当接して押すことになる。以上のことは、回動式のほか、スライド式の扉でも同様に実施可能である。
【０１１１】
以上のようなことは、扉２０３、３６、６６を閉じるときに噴霧するものであったが、扉２０３、３６、６６を開くときに噴霧するものでもよい。この場合、扉２０３、３６、６６を開いてある位置まで移動したときに噴霧できるようにすることになり、この位置の扉２０３、３６、６６に上記噴霧機構を取り付け、一方枠体２０２、枠木３７、柱７６または鴨居７７から延出された突起物が設けられ、この突起物に当該噴霧機構のロッド２２４の当接端２２７、ローラー３０、７４が当接することになる。
【０１１２】
これは回動式／スライド式いずれでも可能であるし、扉２０３、３６、６６の開閉の向きが左右逆になっていても可能である。ここで、本噴霧機構を、扉２０３、３６、６６側ではなく、枠体２０２、枠木３７、柱７６、鴨居７７側に取り付けてもよい。この場合、上記枠体２０２、枠木３７、柱７６、鴨居７７に上記噴霧機構を取り付け、一方扉２０３、３６、６６から延出された突起物が設けられ、この突起物に当該噴霧機構のロッド２２４の当接端２２７、ローラー３０が当接することになる。
【０１１３】
噴霧機構を設けられる場所は、開閉される扉２０３、３６、６６の表側／裏側・外側／内側のどちらの側でもよいし、扉２０３、３６、６６の左側／右側／上側／下側など、どの位置でもよい。開閉部／開閉体は、上述の水平方向に回動またはスライドするもののほか、上側で開閉するもの、下側で開閉するもの、上下に開閉するものであってもよい。この場合、上述の実施例につき、向きを時計回りにほぼ９０度または反時計回りにほぼ９０度回転させたり、または表裏逆にしたりすればよい。
【０１１４】
裏向きのロッド２２４（第２の当接押込み機構）は、表向きのロッド２２４（第１の当接押込み機構）が裏返されたものではなく、裏向きのロッド２２４と軸ピン２２３、表向きのロッド２２４と軸ピン２２３がすべて、左右のねじ穴２２２Ｌ、２２２Ｒの両方に取り付けられていてもよい。
【０１１５】
これにより、扉２０３、３６の左右の向きの違いによって、ロッド２２４と軸ピン２２３とを付け替える必要がなくなる。これは図６乃至図１３のローラー３０、７４、スイングアーム２４、６８、ストッパーアーム１９、リンクアーム１３、リンクアーム７でも同様である。
【０１１６】
左側の当接押込み機構であるロッド２２４、軸ピン２２３、ねじ穴２２２Ｌと、右側の当接押込み機構であるロッド２２４、軸ピン２２３、ねじ穴２２２Ｒとは、左右対称である。したがって、扉２０３、３６、６６（開閉体）の開閉方向が左右逆になるとき、左側の当接押込み機構の取り付け位置と右側の当接押込み機構の取り付け位置とをほぼ左右対称の位置にすれば済み、細かい位置調整を左右で変える必要がなくなり、当接押込み機構の取り付け位置を左右でほぼ同じ位置にできる。これは図６乃至図１３のピン８、ピン１５、ピン２２、ピン７０でも同様である。
【０１１７】
しかし、ねじ穴２２２Ｌと２２２Ｒとの位置、ピン８、ピン１５、ピン２２、ピン７０の左右両位置は左右対称の位置になくてもよい。これにより、当接押込み機構の取り付け位置を左右で若干変える必要が生じるが、左右付け替えることはやはり可能となる。また、本噴霧機構を左右で付け替えるとき、元の取り付け位置と付け替え位置とは扉２０３、３６、６６の同じ水平位置にあってもよいし、対角線方向にずれていてもよいし、その他の方向にずれていてもよい。
【０１１８】
また、ロッド（当接押込み機構）２２４の形状は、Ｌ字型だけでなく、Ｖ字状、Ｗ字状、Ｔ字状、Ｊ字状、Ｕ字状、Ｘ字状、方形状、正方形状、多角形状、円形状、楕円形状などでもよいし、ロッド２２４の数も２以上重なっていてもよい。
【０１１９】
さらに、当接端２２７と押込み端２２８とは、軸ピン２２３（軸支部）に対して互いにほぼ直交する方向に位置していなくてもよく、１２０度、６０度、互いに対角する位置などににあってもよい。
【０１２０】
また、枠体２０２、枠木３７、柱７６または鴨居７７は、扉２０３、３６、６６の周囲だけでなく、扉２０３、３６、６６の周りの壁、柱、梁、鴨居、敷居、床、これらの突起物または付加物などまでの広い範囲までも含んでもよい。扉２０３、３６、６６は、扉／ドアのほか、窓、戸、鎧戸、ふすま、障子、蓋、引き出しなどに用いられても良い。
【０１２１】
噴霧剤入り容器２３０、スプレー缶３、スプレー４６は円柱状／円筒状であったが、楕円柱状、角柱状、球状、卵型状、直方体状、立方体状、ひょうたん型など、どのような形状でもよい。噴霧剤入り容器２３０、３、４６の取り付けられる向きは縦向きのほか、横向き、上下逆向き、斜め向きなど、どのような向きでもよい。
【０１２２】
さらに、本噴霧機構が備えられる場所／用途は、応接室／玄関／寝室／トイレ／風呂／物置／押入／車庫／門／エレベータなどの住居／店舗／工場／オフィス／公共施設等の建築物／施設の自動扉／回転ドア／扉／窓／蓋／引き出し／シャッター、乗用車／列車／船舶／航空機などの乗り物の扉／窓／蓋／引き出し、冷蔵庫／洗濯機／電子レンジなどの家電製品の扉／窓／蓋／引き出し、洋服ダンス／本棚／食器棚／収納ケース／机などの家具／事務用家具の扉／窓／蓋／引き出し、温室／家畜舎／納屋／冷凍室など農林牧畜水産業施設の扉／窓／蓋／引き出し等でもよい。
【０１２３】
また、電動式のポンプによって芳香剤（消臭剤その他の薬液）が噴霧される方式が用いられても良い。具体的には、電動ポンプによってボトル内に蓄えられた薬液が吸い出され、極めて小さな穴から霧状で噴射される。そして、電動ポンプの運転と停止とを支持するスイッチのオン／オフが上記第１実施例、第２実施例及び第３実施例のロッド２２４、第４実施例のスイングアーム６８または第５実施例のリンクアーム７の動作で制御される。
【０１２４】
さらに、第１実施例、第２実施例及び第３実施例の噴霧剤入り容器２３０の押栓２３１、第４実施例及び第５実施例のスプレー缶３、スプレー４６のノズル５、５２を押し込む力が、電磁石のオン／オフで生成されてもよい。例えば、電磁石が働く（通電される）ことで、電磁石のコアが動き、このコアによって押栓２３１、ノズル５、５２が押し込まれる。逆に、電磁石への電流が遮断されると、電磁石のコアがスプリングなどの働きで元の位置に復帰され、押栓２３１、ノズル５、５２を押し込む力が消失されることで、薬液の噴霧が停止される。
【０１２５】
その他に、エアーポンプが用いられても良い。エアーポンプとは、以下の物である。可撓性のある素材、例えばポリエステルなどで全体が作られ、しかも側部に蛇腹を有する容器であって、押しつぶされると、一つの小さな穴から内部の空気が勢いよく押し出される構造のものである。そして、押しつぶす力が開放されると、容器全体が元の形状に戻される。
【０１２６】
このようなエアーポンプが、扉２０３、３６、６６の屋内側または屋外側に取り付けられており、さらに、エアーポンプの空気排出口がスプレーのノズルを押し下げるようにパイプで繋げられている。そして、スライドドアが閉じられたとき、このドア横の柱にエアーポンプが押しつぶされることで、ポンプ内の空気が勢いよく押し出される。この結果、スプレーのノズルが押し下げられるので、スプレー内の薬液が噴霧される。
【０１２７】
エアーポンプなどによって圧縮空気が作られる場合、上記各実施例のような噴霧剤入り容器２３０、スプレー缶３、スプレー４６でなく、薬液が封入された単なる瓶が用いられても良い。そして、その瓶の上部にエアーポンプの圧縮空気がパイプで導かれることで、内部液体がその圧縮空気で押し出されて、瓶上部に設置された微小穴のあいたノズルから、その液体が散布されてもよい。
【０１２８】
また、噴霧剤入り容器２０３の押栓２３１、スプレー缶３、スプレー４６のノズル５を押し下げるのに、スライドドア横にある柱で発生される左右運動が、縦運動に変換されるものが用いられるならば、如何なるものが用いられても良い。例えば、三角形の外形を有する楔や、カム、テコ、マグネット、電磁石等様々なものがある。
【０１２９】
また例えば、スライドドアが当接される柱によって、カムの端に繋げられたロッドが左右方向に押される。そして、その左右方向に押されたロッドで、カムが回転されるので、そのカムの他方の端に別のロッドが縦方向に運動される。そして、その縦運動されるロッドによって噴霧剤入り容器２０３の押栓２３１、スプレー缶３、スプレー４６のノズル５が押し下げられても良い。
【０１３０】
さらにまた、噴霧剤入り容器２３０の押栓２３１、スプレー缶３、スプレー４６のノズル５に代えて、電動式のバルブによって開閉されてもよい。例えば、噴霧剤入り容器２０３またはスプレー缶３、スプレー４６から引き出されたパイプの途中に電動式の開閉バルブを備え、さらにその開閉バルブの先に噴霧用のノズル口が接続される。
【０１３１】
そして、扉２０３、３６、６６の開閉によって駆動されるリンクアーム７などにより開閉バルブの開閉が制御されてもよい。加えて、上記第２実施例において、リンクアーム７にもねじりコイルバネなどの弾性部材が用いられて、リンクアーム７が常時、矢印４２方向に回転するよう仕向けられても良い。
【０１３２】
その他、上記第５実施例その他に用いられたねじりコイルバネ２６、３３、７１、付勢バネ２４１に代えて、コイルバネ、ねじりバネ、板バネ、渦巻きバネ、ゴム、空気バネ等の弾性部材が用いられても良く、ロッド２２４、リンクアーム１３、ストッパーアーム１９、スイングアーム２４、６８が元の位置に復帰させることができるならば、いずれの物が用いられても良い。
【０１３３】
スイングアーム２４、６８に使用されるローラー３０、７４についても、このローラー３０、７４自体が省かれても良いし、このローラー３０、７４の材質も、ゴム、プラスチック、金属等如何なる物が用いられても良い。スイングアーム２４、６８、リンクアーム１３、ストッパーアーム１９、リンクアーム７それぞれに使用される材料も、金属や、プラスチック等如何なるものが用いられても良い。
【０１３４】
さらにまた、薬液が封入されるスプレー全体が造花や、人形、アンティーク家具、アンティーク瓶などで覆われても良いし、スプレー自体がそれら装飾瓶や人形そのものであってもよい。これにより、スプレー自体の外的美観を改善させることができる。
【０１３５】
（１４）他の発明の効果
[１]枠体に対して開閉体が開閉されるように取り付けられた、二つの空間を仕切る開閉部と、この開閉部の開閉体に取り付けられ、内部に噴霧剤が入れられて、押す力により当該噴霧剤を噴射口から噴射させる押栓を備えた噴霧剤入り容器と、  上記開閉部の開閉体に取り付けられ、上記開閉部の開閉に応じて開閉体と枠体との距離または角度が変化することによって、上記枠体に一部が当接可能であり、他の一部が上記噴霧剤入り容器の押栓を押し込むことが可能であり、当該当接を当該押栓に伝達して、この押栓を押し込む第１の当接押込み機構と、  この第１の当接押込み機構とほぼ左右対称の構造の第２の当接押込み機構を、上記押栓に対して、当該第１の当接押込み機構とほぼ左右対称の位置に取り付け可能としたことを特徴とする開閉部の噴霧剤の噴霧機構。これにより、開閉部の開閉方向が左右逆になっても、噴霧機構を作動させることができる。
【０１３６】
[２]枠体に対して開閉体が開閉されるように取り付けられた、二つの空間を仕切る開閉部と、この開閉部の枠体に取り付けられ、内部に噴霧剤が入れられて、押す力により当該噴霧剤を噴射口から噴射させる押栓を備えた噴霧剤入り容器と、  上記開閉部の枠体に取り付けられ、上記開閉部の開閉に応じて開閉体と枠体との距離または角度が変化することによって、上記開閉体に一部が当接可能であり、他の一部が上記噴霧剤入り容器の押栓を押し込むことが可能であり、当該当接を当該押栓に伝達して、この押栓を押し込む第１の当接押込み機構と、  この第１の当接押込み機構とほぼ左右対称の構造の第２の当接押込み機構を、上記押栓に対して、当該第１の当接押込み機構とほぼ左右対称の位置に取り付け可能としたことを特徴とする開閉部の噴霧剤の噴霧機構。これにより、開閉部の開閉方向が左右逆になっても、噴霧機構を作動させることができる。
【０１３７】
[３]上記第２の当接押込み機構は、上記第１の当接押込み機構が裏返されたものであることを特徴とする請求項１または２記載の開閉部の噴霧剤の噴霧機構。これにより、第１の当接押込み機構を用意するだけで、左右いずれの開閉にも対応できる。
【０１３８】
[４] 第１の当接押込み機構は、軸支部と、上記開閉体が開閉されるとき上記枠部材または上記開閉体へ当接する当接端と、上記噴霧剤入り容器の押栓を押し込む押し込み端とを備え、軸支部に対して当接端と押し込み端とはほぼ直交する方向に位置し、  この第１の当接押込み機構は、上記軸支位置からはずされ、上記押栓に対して、当該第１の軸支位置と左右対称の位置にある第２の軸支位置に、裏返されて取り付けられることを特徴とする請求項１、２または３記載の開閉部の噴霧剤の噴霧機構。これにより、押込み端が上記噴霧剤入り容器の押栓をほぼ真上／直交方向から押し込むことができ、押込み端が押栓から外れてしまうことがない。
【０１３９】
[５]枠体に対して開閉体が開閉されるように取り付けられた、二つの空間を仕切る開閉部と、  この開閉部の枠体に取り付けられ、内部に噴霧剤が入れられて、押す力により当該噴霧剤を噴射口から噴射させる押栓を備えた噴霧剤入り容器と、  上記開閉部の枠体に取り付けられ、上記開閉部の開閉に応じて開閉体と枠体との距離または角度が変化することによって、上記開閉体に一部が当接可能であり、他の一部が上記噴霧剤入り容器の押栓を押し込むことが可能であり、当該当接を当該押栓に伝達して、この押栓を押し込む第１の当接押込み機構と、  この第１の当接押込み機構において、上記押栓を押し込む方向に対してほぼ直交する方向に移動可能なように取り付けられ、上記噴霧剤入り容器の押栓を押しこみ開始時には移動せず、この押栓をある程度押しこんでからは、当該押栓の反撥力によって、当該押栓から離脱するように上記移動するとともに、  この第１の当接押込み機構が復帰するときには、上記移動に対して復動するように移動する移動体とを備えたことを特徴とする開閉部の噴霧剤の噴霧機構。
【０１４０】
これにより、押すと出っ放しになる噴霧剤入り容器でも、所定量噴霧したら押栓の押し込みを解除して噴霧を終了させることができる。しかも、開閉部の開閉のたびに押栓の押し込みと解除とを繰り返すこともできる。
【０１４１】
[６]枠体に対して開閉体が開閉されるように取り付けられた、二つの空間を仕切る開閉部と、  この開閉部の枠体に取り付けられ、内部に噴霧剤が入れられて、押す力により当該噴霧剤を噴射口から噴射させる押栓を備えた噴霧剤入り容器と、  上記開閉部の開閉体に取り付けられ、上記開閉部の開閉に応じて開閉体と枠体との距離または角度が変化することによって、上記枠体に一部が当接可能であり、他の一部が上記噴霧剤入り容器の押栓を押し込むことが可能であり、当該当接を当該押栓に伝達して、この押栓を押し込む第１の当接押込み機構と、  この第１の当接押込み機構において、上記押栓を押し込む方向に対してほぼ直交する方向に移動可能なように取り付けられ、上記噴霧剤入り容器の押栓の押しこみ開始時には移動せず、この押栓をある程度押しこんでからは、当該押栓の反撥力によって、当該押栓から離脱するように上記移動するとともに、  この第１の当接押込み機構が復帰するときには、上記移動に対して復動するように移動する移動体とを備えたことを特徴とする開閉部の噴霧剤の噴霧機構。
【０１４２】
これにより、押すと出っ放しになる噴霧剤入り容器でも、所定量噴霧したら押栓の押し込みを解除して噴霧を終了させることができる。しかも、開閉部の開閉のたびに押栓の押し込みと解除とを繰り返すこともできる。
【０１４３】
［７］上記噴霧剤を噴射口の付近に噴霧剤を吸収する吸収体を取り付け、噴霧される噴霧剤のうち一部または全部を吸収することを特徴とする請求項１、２、３、４、５または６記載の開閉部の噴霧剤の噴霧機構。これにより、噴霧剤が垂れても噴霧機構が汚れないし、吸収体から蒸発する噴霧剤によって噴霧剤の効果を持続させることができる。
【０１４４】
［８］上記噴霧剤入り容器の押栓に対する、当接押込み機構の押し込み量の大きさは調節可能であることを特徴とする請求項１、２、３、４、５、６または７記載の開閉部の噴霧剤の噴霧機構。これにより、噴霧剤の噴霧量を多くしたり少なくしたりして調整することができる。
【０１４５】
［９］上記第１の当接押込み機構における、上記枠体または開閉体に当接する一部と、上記噴霧剤入り容器の押栓を押し込む一部とは、互いの相対的位置、相対的距離または相対的角度が変更可能であり、この変更によって上記開閉体または枠体への最適な当接状態、上記押栓の最適な押込み状態または噴霧剤入り容器の最適な噴霧状態を実現することを特徴とする請求項１、２、３、４、５、６、７または８記載の開閉部の噴霧剤の噴霧機構。これにより、最適な噴霧を実現するために調整を行うことができ、しかもこれを開閉体または枠体への最適な当接状態の実現によって達成できる。
【０１４６】
[１０]噴霧剤入り容器の押栓は１回の押し込みで一定量だけの噴霧剤が噴射されることを特徴とする請求項１、２、３、４、５、６、７、８または９記載の開閉部の噴霧剤の噴霧機構。これにより、押栓を押し続けても、噴霧剤が出っぱなしにならない。
【０１４７】
[１１]上記第１の当接押込み機構は、転動体と、この転動体が当接する凹凸のあるガイド体と、この転動体に連結されたアーム体とよりなり、上記開閉体の開閉に伴って、ガイド体に沿って転動体が転動し、これによりアーム体が噴霧剤入り容器の押栓を押すことを特徴とする請求項１、２、３、４、５、６、７、８、９または１０記載の開閉部の噴霧剤の噴霧機構。これにより、開と閉との往復動作がなくても、押栓の押し込みを解除できるし、ガイド体の凹凸を増やせば噴霧回数を増やすこともできる。
【０１４８】
[１６]第１の当接押込み機構は、ほぼＬ字型であり、このＬ字型の中央屈曲部分付近で軸支され、このＬ字型の一方をほぼ垂直方向に位置させて当接端とし、他方をほぼ水平方向に位置させて押込み端とし、上記開閉体が開閉されるとき、この当接端が上記枠部材または上記開閉体へ当接し、この押込み端が上記噴霧剤入り容器の押栓を押し込み、  このＬ字型の第１の当接押込み機構は、上記軸支位置からはずされ、上記押栓に対して、当該第１の軸支位置と左右対称の位置にある第２の軸支位置に、裏返されて取り付けられることを特徴とする請求項１、２または３記載の開閉部の噴霧剤の噴霧機構。これにより、押込み端が上記噴霧剤入り容器の押栓をほぼ真上／直交方向から押し込むことができ、押込み端が押栓から外れてしまうことがない。
【０１４９】
［２１］内部に噴霧剤が入れられていると共に、押し下げる力により噴射口（ノズル５の噴射口）からその噴霧剤を噴射させる押し下げ栓（ノズル５）を上部に備えた噴霧剤入り容器（スプレー缶３又はスプレー４６）と、二つの空間を仕切るための開閉部（扉３６、２０３）であって、その開閉部の開閉動作方向に生じた力を、上記押し下げ栓を押し下げる力に転換するリンク機構（第５実施例の稼働部分２）とを備えたことを特徴とする。これにより、開閉部の開閉に伴って、自動的すなわち人為的な関与無しで、一方の空間内に噴霧剤が噴霧されるので、その噴霧剤の効能（薬効）を迅速に空間内に拡散させることができる。
【０１５０】
［２２］上記開閉部が、垂直軸又は水平軸を中心にして回転されることで扉の開閉が行われるもの（扉３６、２０３）であることを特徴とする。これにより、回転式の開閉部でも噴霧をおこなうことができる。
【０１５１】
［２３］上記リンク機構が、上記開閉部によって押される第１アーム（スイングアーム２４）と、この第１アームと弾性部材（ねじりコイルバネ３３）を介して同軸回転の連携動作（ピン１５を中心に回転する）をする第２アーム（リンクアーム１３）と、この第２アームの動作を停止させると共に、上記第１アームが所定間隔以上、上記開閉部によって押されたときに押し出されることで（スイングアーム２４でストッパーアーム１９の押され板２３が押されること）、上記第２アームの動作の停止を解除（ストッパーアーム１９の係合板２０がリンクアーム１３の係り爪１８から外れること）するストッパーアーム（ストッパーアーム１９）と、上記第２アームの先端に立設されたピン（ピン１４）によって揺動方向が制御される第３アーム（リンクアーム７）とから構成され、しかもこの第３アームの揺動で生ずる上下運動により、上記押し下げ栓（ノズル５）が押し下げられることで、上記噴霧剤が噴射されることを特徴とする。これにより、開閉部の閉動作に伴って、１回のみ押し下げ栓が押し下げられるので、この栓より噴霧剤が自動的に噴霧される。
【０１５２】
［２４］上記リンク機構は、押し下げ栓を押し下げて上記噴霧剤を噴霧した後、上記開閉された開閉部が復帰されなくても、当該押し下げを解除する逃げ機構（垂下当接板１２、ピン１４）をさらに備えことを特徴とする。これにより、開閉部が開きっぱなしになっても、噴霧剤が噴霧され続けることがなくなる。
【０１５３】
[２５]上記リンク機構は、開閉部が開く時のみにおいて、上記押し下げ栓を押し下げることを特徴とする。これにより、これから開閉部を開けて中に入る前または外に出る前に噴霧を行うことができる。上記リンク機構は、開閉部が閉じる時のみにおいて、上記押し下げ栓を押し下げることを特徴とする。これにより、これから開閉部を開けて中に入った後または外に出た後に噴霧を行うことができる。上記リンク機構は、開閉部が開くとき及び閉じるときの両時において、上記押し下げ栓を押し下げることを特徴とする。これにより、これから開閉部を開けて中に入る前及び入った後または外に出る前及び出た後の全てに噴霧を行うことができる。
【産業上の利用可能性】
【０１５４】
第１の当接押込み機構と左右対称の第２の当接押込み機構を取り付け可能として、開閉部の開閉方向が左右逆になっても、噴霧機構を作動させる。噴霧機構の左右付け替えをするには、台座２０４を扉２０３、３６から取り外し、軸ピン２２３（当接押込み機構）を台座２０４の左側の軸支面２２１Ｌ（または２２１Ｒ）のねじ穴２２２Ｌ（または２２２Ｒ）から取り外し、ロッド２２４（当接押込み機構）も台座２０４から取り外し、ロッド２２４を裏返して、ロッド２２４の軸穴２２５に軸ピン２２３を挿通させて、軸ピン２２３を右側の軸支面２２１Ｌ（または２２１Ｒ）のねじ穴２２２に螺合させて固定する。そして、この台座２０４を扉２０３、３６の右側に取り付け、台座２０４に噴霧剤入り容器２０３を装着する。
【図面の簡単な説明】
【０１５５】
【図１】開閉部の噴霧剤の噴霧機構の第１実施例の開閉部全体を示す。
【図２】開閉部の噴霧剤の噴霧機構の第１実施例の分解斜視を示す。
【図３】開閉部の噴霧剤の噴霧機構の第１実施例の当接／押込み状態と左右付け替え状態を示す。
【図４】開閉部の噴霧剤の噴霧機構の第２実施例を示す。
【図５】開閉部の噴霧剤の噴霧機構の第３実施例を示す。
【図６】開閉部の噴霧剤の噴霧機構の第４実施例の構造を示す。
【図７】開閉部の噴霧剤の噴霧機構の第４実施例の動作を示す。
【図８】開閉部の噴霧剤の噴霧機構１の第５実施例の正面を示す。
【図９】開閉部の噴霧剤の噴霧機構１の第５実施例の稼働部分２の正面と下視を示す。
【図１０】噴霧機構１の第４実施例のリンクアーム７とリンクアーム１３の様子を示す。
【図１１】開閉部の噴霧剤の噴霧機構１の第５実施例の設置の様子を示す。
【図１２】開閉部の噴霧剤の噴霧機構１の第５実施例の稼働状態を示す。
【図１３】開閉部の噴霧剤の噴霧機構１の第５実施例の稼働状態を示す。
【図１４】ロッド２２４の変形例（第６実施例）を示す。
【符号の説明】
【０１５６】
２０１…開閉部、２０２…枠体、
２０３…扉（開閉体）、２０４…台座、
２０５Ｌ、２０５Ｒ…中央折り曲げ部、
２０６Ｌ、２０６Ｒ…係合穴、
２０７Ｌ、２０７Ｒ…上部折り曲げ部、
２０８Ｌ、２０８Ｒ…ストッパー部、
２１０…カバー部、２１１Ｌ、２１１Ｒ…側面部、
２１２Ｌ、２１２Ｒ…上端カバー部、
２１３…覗き窓、２１４…挟み込み部、
２２１Ｌ、２２１Ｒ…軸支面、
２２２Ｌ、２２２Ｒ…ねじ穴（当接押込み機構・軸支部）、
２２３…軸ピン（当接押込み機構・軸支部）、
２２４…ロッド（当接押込み機構）、
２２５…軸穴（当接押込み機構・軸支部）、
２２６…ストッパー杆、２２７…当接端、
２２８…押込み端、２３０…噴霧剤入り容器、
２３１…押栓、２３２…噴射口、
２４０…ローラー（当接押込み機構・移動体）、２４１…付勢バネ、
２４２…ローラー軸、２４３…スライド孔、
２４３ａ…逃げ孔部（移動体）、２４３ｂ…入込み孔部（移動体）、
２４４…付勢バネ、２４５…調節器、
１…開閉部の噴霧剤の噴霧機構、２…稼働部分、
３…スプレー缶（噴霧剤入り容器）、４…板バネ、
５…ノズル（押栓）、６…基台、７…リンクアーム（当接押込み機構）、
８…ピン、９…端、１０…先端、
１１…辺、１２…垂下当接板（当接押込み機構）、
１３…リンクアーム（当接押込み機構）、１４…ピン（当接押込み機構）、
１５…ピン、１６…端、１７…頂点、
１８…係り爪、１９…ストッパーアーム（当接押込み機構）、
２０…係合板、２１…本体、２２…ピン、２３…押され板、
２４…スイングアーム（当接押込み機構）、２５…辺、
２６…ねじりコイルバネ、２７…アームピン２７、
２８…アームピン、２９…爪、
３０…ローラー（当接押込み機構）、３１…基部、
３２…Ｌ字型膨らみ、３３…ねじりコイルバネ、
３４…アームピン、３５…アームピン、
３６…扉（開閉体）、３７…枠木（枠体）、
３８…ドアヒンジ、３９…部分、
４０…矢印、４１…下端、４２…矢印、
４４…開閉部の噴霧剤の噴霧機構、
４６…スプレー（噴霧剤入り容器）、４７…ホルダー、
４８…本体、４９…押しプレート、５０…先端、
５１…瘤、５２…ノズル（押栓）、５３、５４…磁石、
５５、５６…狭持板、５７…ホルダー本体、５８…膨らみ５８、
５９…膨らみ、６０…上端、６１…下端、
６５…開閉部の噴霧剤の噴霧機構、６６…扉（開閉体）、
６７…台座、６８…スイングアーム（当接押込み機構・アーム体）、
６９…アーム支持部、７０…ピン、
７１…ねじりコイルバネ、７２…アームピン、
７３…アームピン、７４…ローラー（当接押込み機構・転動体）、
７５…突起部（当接押込み機構）、
７６…柱（枠体）、７７…鴨居（枠体）、
７８…溝、７９、８０…こぶ山、
８１…ローラーガイド（当接押込み機構・ガイド体）、
８２…凹み、８３…隙間、
１２１…表面、１２２…裏側。
【図１】
2007056548.tif 000003
【図２】
2007056548.tif 000004
【図３】
2007056548.tif 000005
【図４】
2007056548.tif 000006
【図５】
2007056548.tif 000007
【図６】
2007056548.tif 000008
【図７】
2007056548.tif 000009
【図８】
2007056548.tif 000010
【図９】
2007056548.tif 000011
【図１０】
2007056548.tif 000012
【図１１】
2007056548.tif 000013
【図１２】
2007056548.tif 000014
【図１３】
2007056548.tif 000015
【図１４】
2007056548.tif 000016